(57)【要約】【課題】ブレ補正光学系の位置検出精度を確保しかつコンパクトに収納できるレンズ鏡筒等を提供する。【解決手段】レンズ鏡筒１は、光軸Ｉに対する位置が拘束された固定部３０１と、固定部３０１に対して光軸Ｉと交わる面内で移動可能に支持され、ブレ補正光学系Ｌ２を保持する移動部３０２と、固定部３０１に対する移動部３０２の位置を検出する位置検出部３２０と、被写体像光の光量を調整する絞り部２２０、被写体像光を遮断するシャッタ部２３０の少なくとも一方を駆動するとともに、位置検出部３２０に対して離間して設けられた使用位置と、使用位置よりも位置検出器３２０に近接した収納位置との間で、位置検出器３２０に対して相対移動する駆動部２８１，２８２とを備える構成とする。【選択図】図１
2007219375.tif 000002
【特許請求の範囲】
【請求項１】
光軸に対する位置が拘束された固定部と、
前記固定部に対して前記光軸と交わる面内で移動可能に支持され、ブレ補正光学系を保持する移動部と、
前記固定部に対する前記移動部の位置を検出する位置検出部と、
被写体像光の光量を調整する絞り部、前記被写体像光を遮断するシャッタ部の少なくとも一方を駆動するとともに、前記位置検出部に対して離間して設けられた使用位置と、前記使用位置よりも前記位置検出部に近接した収納位置との間で、前記位置検出部に対して相対移動する駆動部と
を備えるレンズ鏡筒。
【請求項２】
請求項１に記載のレンズ鏡筒において、
前記レンズ鏡筒は、撮影状態と、前記撮影状態よりも前記光軸方向の長さが短縮される沈胴状態との間を移行するものであり、
前記駆動部は、前記レンズ鏡筒の前記撮影状態と前記沈胴状態との移行動作と連動して、前記位置検出部に対して前記光軸方向に相対移動し、前記使用位置と前記収納位置との間を移行すること
を特徴とするレンズ鏡筒。
【請求項３】
請求項１又は請求項２に記載のレンズ鏡筒において、
前記位置検出部は、前記固定部又は前記移動部の一方に固定された磁性体と、前記固定部又は前記移動部の他方に固定された磁気検出部と
を備えること
を特徴とするレンズ鏡筒。
【請求項４】
請求項１から請求項３までのいずれか１項に記載のレンズ鏡筒において、
前記絞り部は、前記駆動部が発生する駆動力によって、前記被写体像光が通過する開口の大きさを連続的に変化させる複数の絞り羽根を有すること
を特徴とするレンズ鏡筒。
【請求項５】
請求項１から請求項３までのいずれか１項に記載のレンズ鏡筒において、
前記絞り部は、前記駆動部が発生する駆動力によって、前記被写体像光の光路内に挿入された使用位置と、前記光路外に設けられた退避位置との間を移動する光量調整部材を有すること
を特徴とするレンズ鏡筒。
【請求項６】
請求項１から請求項５までのいずれか１項に記載のレンズ鏡筒を備えること
を特徴とするカメラ。
【発明の詳細な説明】
【技術分野】
【０００１】
本発明は、カメラの撮影用レンズ群等を収容するレンズ鏡筒、及び、このようなレンズ鏡筒を備えるカメラに関するものである。
【背景技術】
【０００２】
カメラの撮影用レンズ鏡筒は、光学式のブレ補正装置を備えたものが知られている。ブレ補正装置は、光軸と直交する面内を平行移動可能に支持されたブレ補正光学系を、レンズ鏡筒の振動に応じて駆動することによって、結像面における像ブレを低減し、画質を向上するものである（例えば、特許文献１参照）。
【０００３】
また、レンズ鏡筒は、その光学系の途中に、被写体像光の光量を調整する絞り部、及び、被写体像光の通過時間を規制するシャッタ部を設けることが一般的である。これらの絞り部、シャッタ部は、コイルの励磁力を用いる電磁アクチュエータによって駆動することが知られている。
【特許文献１】特開２００３−５７７０７号公報
【発明の開示】
【発明が解決しようとする課題】
【０００４】
ブレ補正装置は、ブレ補正光学系の変位量を検出する位置センサとして、ホール素子等の磁気センサを含むものを適用した場合、レンズ鏡筒のシャッタ部や絞り部を駆動するコイルが発生する磁界の影響を受け、検出精度が低下する場合がある。この場合、磁気センサは、これらのコイルからの距離を十分に確保すれば検出精度の低下は避けられるが、収納時におけるレンズ鏡筒のサイズが大きくなってしまう。
本発明の課題は、ブレ補正光学系の位置検出精度を確保しかつコンパクトに収納できるレンズ鏡筒、及び、このようなレンズ鏡筒を備えるカメラを提供することである。
【課題を解決するための手段】
【０００５】
本発明は、以下のような解決手段により、前記課題を解決する。
請求項１の発明は、光軸に対する位置が拘束された固定部と、前記固定部に対して前記光軸と交わる面内で移動可能に支持され、ブレ補正光学系を保持する移動部と、前記固定部に対する前記移動部の位置を検出する位置検出部と、被写体像光の光量を調整する絞り部、前記被写体像光を遮断するシャッタ部の少なくとも一方を駆動するとともに、前記位置検出部に対して離間して設けられた使用位置と、前記使用位置よりも前記位置検出部に近接した収納位置との間で、前記位置検出部に対して相対移動する駆動部とを備えるレンズ鏡筒である。
【０００６】
請求項２の発明は、請求項１に記載のレンズ鏡筒において、前記レンズ鏡筒は、撮影状態と、前記撮影状態よりも前記光軸方向の長さが短縮される沈胴状態との間を移行するものであり、前記駆動部は、前記レンズ鏡筒の前記撮影状態と前記沈胴状態との移行動作と連動して、前記位置検出部に対して前記光軸方向に相対移動し、前記使用位置と前記収納位置との間を移行することを特徴とするレンズ鏡筒である。
請求項３の発明は、請求項１又は請求項２に記載のレンズ鏡筒において、前記位置検出部は、前記固定部又は前記移動部の一方に固定された磁性体と、前記固定部又は前記移動部の他方に固定された磁気検出部とを備えることを特徴とするレンズ鏡筒である。
請求項４の発明は、請求項１から請求項３までのいずれか１項に記載のレンズ鏡筒において、前記絞り部は、前記駆動部が発生する駆動力によって、前記被写体像光が通過する開口の大きさを連続的に変化させる複数の絞り羽根を有することを特徴とするレンズ鏡筒である。
請求項５の発明は、請求項１から請求項３までのいずれか１項に記載のレンズ鏡筒において、前記絞り部は、前記駆動部が発生する駆動力によって、前記被写体像光の光路内に挿入された使用位置と、前記光路外に設けられた退避位置との間を移動する光量調整部材を有することを特徴とするレンズ鏡筒である。
【０００７】
請求項６の発明は、請求項１から請求項５までのいずれか１項に記載のレンズ鏡筒を備えることを特徴とするカメラである。
【発明の効果】
【０００８】
本発明によれば、絞り部、シャッタ部の少なくとも一方を駆動する駆動部が、使用時に収納時における位置よりも位置検出部に対して離間するから、使用時に駆動部と位置検出部との距離を十分に確保して、駆動部が位置検出部の検出精度に影響を与えることを防止することができる。また、収納時には駆動部が位置検出部に近接することによって、レンズ鏡筒をコンパクトに収納することができる。
【発明を実施するための最良の形態】
【０００９】
本実施形態の装置は、ブレ補正光学系の位置検出精度を確保しかつコンパクトに収納できるレンズ鏡筒等を提供する目的を、絞り駆動用及びセクタ駆動用のコイルが、ブレ補正装置の位置検出器のホール素子に対して、沈胴状態から撮影状態に移行する際に離間するようにしたことによって達成する。
【実施例】
【００１０】
以下、本発明を適用したレンズ鏡筒の実施例について説明する。
このレンズ鏡筒１は、例えばレンズ非交換式のデジタルスチルカメラの撮影用レンズ鏡筒として用いられる沈胴式のレンズ鏡筒である。
図１は、レンズ鏡筒１の使用時における状態を示す断面図である。図２は、レンズ鏡筒１の収納時（沈胴時）における状態を示す断面図である。また、図１、図２は、図３に示すＡ−Ａ断面を示すものである。
図３は、図１のIII−III部矢視断面図である。
図４、図５は、レンズ鏡筒１の図３に示すＢ−Ｂ断面における断面図であって、それぞれ使用時、収納時の状態を示すものである。
【００１１】
レンズ鏡筒１は、撮像光学系として、第１レンズ群Ｌ１、第２レンズ群（ＶＲレンズ群）Ｌ２、第３レンズ群Ｌ３、ローパスフィルタ（ＬＰＦ）１０、撮像素子２０を備えている。
また、レンズ鏡筒１は、第１群筒１１０、回転カム筒１２０、固定筒１３０、第３レンズ室１４０、撮像素子固定部材１５０、シャッタ絞りユニット２００、ブレ補正（ＶＲ）ユニット３００を備えている。
【００１２】
第１レンズ群Ｌ１は、対物レンズ群であって、後述する第１レンズ室１１１を介して第１群筒１１０の対物側の先端部に固定されている。
ＶＲレンズ群Ｌ２は、第１レンズ群Ｌ１の射出側に配置され、ＶＲユニット３００によって光軸Ｉと直交する方向に変位（シフト）することによって結像面における像ブレを低減するものである。
第３レンズ群Ｌ３は、ＶＲレンズ群Ｌ２の射出側に設けられ、第３レンズ室１４０によって光軸Ｉ方向に移動可能に支持されている。
【００１３】
ＬＰＦ１０は、第３レンズ群Ｌ３の射出側に設けられ、撮像素子２０の出力画像におけるモアレの発生等を防止する光学式のローパスフィルタである。
撮像素子２０は、ＬＰＦ１０の像側に配置され、例えばＣＣＤ、ＣＭＯＳ等の光−電気変換素子を備え、その撮像面に結像される被写体像を取得するものである。この撮像素子２０は、その背面側に固定されたパッケージ２１を介して撮像素子固定部材１５０に固定されている。
【００１４】
第１群筒１１０は、レンズ鏡筒１の鏡胴を構成する部材のうち使用時（撮影時）に最も対物側に繰り出される筒体であって、第１レンズ室１１１と、レンズバリア１１２とを備えている。第１群筒１１０は、外周面部に回転カム筒１２０の内周面のカム溝に挿入される突起状のカムフォロワピンを備え、後述する直進ガイド部材１２１によって光軸方向に平行移動可能に支持されている。
第１レンズ室１１１は、その内径側に第１レンズ群Ｌ１が固定される枠体であって、第１群筒１１０の対物側の先端部に固定されている。
レンズバリア１１２は、第１群筒１１０の対物側の端面部に備えられ、レンズ鏡筒１の収納時（沈胴時）に第１レンズ群Ｌ１の対物側の面をカバーする遮蔽部材を備えている。
【００１５】
回転カム筒１２０は、固定筒１３０の内径側に挿入されるとともに、その内径側に第１群筒１１０が挿入される筒体であって、直進ガイド部材１２１、ギア１２２、ギア軸１２３を備えている。
回転カム筒１２０は、外周面部に固定筒１３０の内周面部のカム溝に挿入される突起状のカムフォロワピンを備えている。また、回転カム筒１２０は、第１群筒１１０及びＶＲユニット３００のカムフォロワピンが挿入されるカム溝がその内周面部に形成されている。
回転カム筒１２０は、固定筒１３０に対して光軸回りに回転可能でありかつ光軸方向に移動可能に支持され、その外周面部に形成されたギア列をギア１２２によって駆動されることによって、光軸方向に移動するとともに、第１群筒１１０及びＶＲユニット３００を回転カム筒１２０に対して光軸方向に移動させるものである。
直進ガイド部材１２１は、回転カム筒１２０及び第１群筒１１０の内径側に配置され、第１群筒１１０及び後述するＶＲレンズ室を、固定筒１３０に対して光軸回りに回転しないように直進案内するものである。
ギア１２２は、回転カム筒１２０の外周面部に形成されたギア列と噛合し、図示しないモータの動力を用いて回転カム筒１２０を回転駆動するものである。
ギア軸１２３は、ギア１２２を固定筒１３０に対して回転可能に支持するものである。
【００１６】
固定筒１３０は、図示しないカメラボディに固定された筒体であって、その対物側の端部は、カメラボディのカバーＣに形成され回転カム筒１２０等が挿入される開口と隣接して配置されている。固定筒１３０は、その内周面部に、回転カム筒１２０のカムフォロワピンが挿入されるカム溝が形成されている。
【００１７】
第３レンズ室１４０は、第３レンズ群Ｌ３を収容する枠体を有し、固定筒１３０に対して光軸Ｉ方向に移動可能に支持されている。
第３レンズ室１４０は、ナット部１４１、スクリュ１４２、モータ１４３、ガイドバー１４４を備えている。
ナット部１４１は、第３レンズ室１４０に固定され、スクリュ１４２とネジ結合されるめネジ部が形成されている。
スクリュ１４２は、光軸Ｉと平行に延在し、ナット部１４１のめネジ部に挿入され、これが回転することによって第３レンズ室１４０を光軸方向に送るものである。
モータ１４３は、スクリュ１４２に接続され、このスクリュ１４２を回転駆動するものである。
ガイドバー１４４は、第３レンズ室１４０を光軸Ｉ方向にガイドするものである。
【００１８】
撮像素子固定部材１５０は、固定レンズ筒１３０の光軸Ｉ方向像側の端部に備えられ、ＬＰＦ１０、撮像素子２０、パッケージ２１が固定されるものである。
【００１９】
シャッタ絞りユニット２００は、第１レンズ群Ｌ１と第２レンズ群Ｌ２との間に配置され、像光が通過する開口２１０、絞り羽根２２０、セクタ２３０を備えている。
絞り羽根２２０は、開口２１０の内径側に配置されている。絞り羽根２２０は、複数枚組み合わされることによって、開口径を連続的に変化可能な虹彩絞りを構成するものである。絞り羽根２２０は、開口２１０の内周面からの突き出し量を変化させることによって、開口径を変化させ、被写体像光の光量を調整する。また、絞り羽根２２０は、図２に示すように、レンズ鏡筒１の収容時には、ＶＲレンズ室３０１との干渉を防止するため、開口２１０の内周縁部よりも外径側に退避するようになっている。
ここで、絞り羽根２２０は、レンズ鏡筒１を含むカメラの電源投入後、スルー画表示を伴うフレーミング中は開放絞り状態を維持し、その後、露光の直前に公知の自動露出（ＡＥ）制御によって設定された撮影時絞り値まで絞り込まれる。そして、絞り羽根２２０は、露光終了後に、再び開放絞り状態とされる。
【００２０】
セクタ（シャッタ）２３０は、開口２１０の内径側であって、絞り羽根２２０に対して光軸Ｉ方向像側に配置されている。セクタ２３０は、被写体像光の通過を許容する開状態と、開口２１０を閉塞して被写体像光を遮断する閉位置との間を移行する樹脂製の薄片である。セクタ２３０は、フレーミング中及び露光中は開状態を維持し、露光終了時に閉状態に移行する。また、レンズ鏡筒１の収容時においては、セクタ２３０は、絞り羽根２２０と同様に、開口２１０の内周縁部よりも外径側に退避するようになっている。
【００２１】
また、シャッタ絞りユニット２００は、ガイドバー２４０，２５０、バネ２６０，２７０を備えている（ガイドバー２５０は図３参照。バネ２７０は図示しない。）。
ガイドバー２４０，２５０は、それぞれ光軸Ｉと平行に延在し、シャッタ絞りユニット２００を光軸Ｉ方向に平行移動可能に支持するものである。
ガイドバー２４０，２５０は、その光軸Ｉ方向像側の端部を後述するＶＲユニット３００のＶＲレンズホルダ３０２に固定され、光軸Ｉ方向対物側の端部は、その外径側につば状に突き出して形成され、シャッタ絞りユニット２００の移動範囲を規制するストッパリングが形成されている。
【００２２】
図３に示すように、ガイドバー２４０，２５０は、光軸Ｉに対して略対称に配置されている。ガイドバー２４０，２５０は、それぞれシャッタ絞りユニット２００のコイル部２８０に形成された係合穴２８３，２８４に挿入される。これらの係合穴２８３，２８４については後に詳しく説明する。
【００２３】
また、バネ２６０，２７０は、その中心軸を光軸Ｉと略平行に配置された圧縮コイルバネであって、それぞれその内径側にガイドバー２４０，２５０が挿入され、これらに対して略同心に配置されている。バネ２６０，２７０は、光軸Ｉ方向対物側の端部をシャッタ絞りユニット２００に接し、かつ、像側の端部をＶＲレンズホルダ３０２に接した状態で配置され、これらを相互に離間する方向に付勢するものである。
【００２４】
さらに、シャッタ絞りユニット２００は、コイル部２８０を備えている。
図６及び図７は、コイル部２８０の外観斜視図であって、このコイル部２８０に対してそれぞれ光軸Ｉ方向対物側、像側に寄った視点から見た状態を示す図である。図８は、コイル部２８０を光軸Ｉ方向対物側から見た状態を示す図である。
コイル部２８０は、光軸Ｉに対して略同軸に形成された円環状の部材である。このコイル部２８０は、絞り駆動コイル２８１、セクタ駆動コイル２８２、係合穴２８３，２８４を備えている。
【００２５】
絞り駆動コイル２８１及びセクタ駆動コイル２８２は、上述した絞り羽根２２０及びセクタ２３０を、それぞれ図示しない駆動力伝達機構を介して駆動するアクチュエータの一部を構成するものである。これらの絞り駆動コイル２８１及びセクタ駆動コイル２８２は、コイル部２８０の光軸Ｉ方向対物側の面部から、この対物側に向けて突き出して形成されている。
また、図８に示すように、絞り駆動コイル２８１は、光軸Ｉに対して通常撮影時における下側に配置されている。絞り駆動コイル２８１は、光軸Ｉ方向から見たときに、コイル３１０Ｐと重なった状態で配置されている。
一方、セクタ駆動コイル２８２は、光軸Ｉに対して、通常撮影時における側方に配置されている。セクタ駆動コイル２８２は、光軸Ｉ方向から見たときに、位置検出器３２０Ｐと重なった状態で配置されている。
ここで、通常撮影時とは、光軸Ｉを略水平として横長の画像を撮像する際のレンズ鏡筒１の姿勢を指すものとする。
【００２６】
係合穴２８３，２８４は、コイル部２８０を光軸Ｉ方向に貫通して形成されている。これらの係合穴２８３，２８４は、それぞれガイド軸２４０，２５０が挿入されるものである。
係合穴２８３は、光軸Ｉ方向からみたときに真円状に形成され、その内径は、ガイド軸２４０の外径に対して摺動のため不可避的に設けられる微小な隙間だけ大きく設定されている。
一方、係合穴２８４は、光軸Ｉに対する径方向を長軸とする長円状に形成され、ガイド軸２４０，２５０の間隔の寸法公差を吸収可能となっている。
【００２７】
ブレ補正ユニット３００は、ＶＲレンズ群Ｌ２を光軸Ｉと直交する方向に変位させることによって、レンズ鏡筒１の振動に起因する被写体像の像ブレを低減するものである。
ブレ補正ユニット３００は、ＶＲレンズ室３０１、ＶＲレンズホルダ３０２、カバー３０３、鋼球３０４、バネ３０５、ボイスコイルモータ３１０、位置検出器３２０を備えている（ボイスコイルモータ３１０、位置検出器３２０は、図３、図４、図５参照。）。
【００２８】
ＶＲレンズ室３０１は、内径側にＶＲレンズ群Ｌ２が収容される枠体を有し、この枠体の外周面部から外径側につば状に突き出して形成されたフランジ部が形成されている。
ＶＲレンズホルダ３０２は、ＶＲレンズ室３０１に形成されたフランジ部の光軸Ｉ方向像側の面部と対向して配置され、ＶＲレンズ室３０１を光軸Ｉに対して直交する平面に沿って平行移動可能に支持するものである。
【００２９】
カバー３０３は、ＶＲレンズ室３０１に形成されたフランジ部の光軸Ｉ方向対物側の面部と対向して配置され、ＶＲレンズホルダ３０２に対して固定されている。
鋼球３０４は、ＶＲレンズ室３０１のフランジ部とＶＲレンズホルダ３０２との間に挟持され、その回転によってＶＲレンズ室３０１のＶＲレンズホルダ３０２に対する光軸Ｉと直交する方向への移動をガイドするものである。また、ＶＲレンズホルダ３０２は、ＶＲレンズ室３０１側の面部をカップ状に凹ませて形成され、この鋼球３０４が接触し転動する底面部が形成された凹部３０２ａが形成されている。この凹部３０２ａは、図３に示すように、ＶＲレンズホルダ３０２の周方向に略等間隔に分散して例えば３つが形成され、そのそれぞれが鋼球３０４を備えている。
バネ３０５は、ＶＲレンズ室３０１とＶＲレンズホルダ３０２との間にわたして設けられたコイルバネであって、ＶＲレンズ室３０１をＶＲレンズホルダ３０２に対して引き寄せ、鋼球３０４を介して加圧接触させるものである。
【００３０】
ボイスコイルモータ３１０は、ＶＲレンズ室３０１をＶＲレンズホルダ３０２に対して光軸Ｉと直交する方向に駆動するアクチュエータである。
本実施例において、ＶＲユニット３００はＶＲレンズ群Ｌ２をレンズ鏡筒１のピッチング、ヨーイングにそれぞれ対応した方向に駆動するものである。ここで、ピッチングとは、通常撮影時においてレンズ鏡筒１の対物側の端部が上下方向に揺れる振動を指し、この場合ＶＲレンズ群Ｌ２は、上下方向に駆動される（対ピッチング駆動）。また、ヨーイングとは、通常撮影時においてレンズ鏡筒１の対物側の端部が水平方向に揺れる振動をさし、この場合ＶＲレンズ群Ｌ２は、水平方向に駆動される（対ヨーイング駆動）。
【００３１】
ボイスコイルモータ３１０は、図３に示すように、ＶＲレンズ室３０１の対ピッチング駆動を行うもの（３１０Ｐ）、対ヨーイング駆動を行うもの（３１０Ｙ）がそれぞれ設けられている。
ボイスコイルモータ３１０Ｐ、３１０Ｙは、通常撮影時における光軸Ｉの下側の領域、水平方向に沿った領域にそれぞれ配置され、これらは光軸Ｉ回りにおける角度が例えば約９０度離間して配置されている。
【００３２】
ボイスコイルモータ３１０は、図４、図５に示すように、ヨーク３１１，３１２、マグネット３１３、コイル３１４を備えている。
ヨーク３１１、３１２は、例えば鉄系金属等によって形成された強磁性体であって、それぞれＶＲレンズホルダ３０２、カバー３０３に固定され、光軸Ｉ方向に相互に対向して配置されている。
マグネット３１３は、ヨーク３１２のヨーク３１１と対向する側の面部に固定された永久磁石である。
コイル３１４は、ＶＲレンズ室３０１のフランジ部に固定され、ヨーク３１１とマグネット３１３との間に挟まれて配置されている。
ボイスコイルモータ３１０は、ヨーク３１１，３１２、マグネット３１３が形成する磁界内に配置されたコイル３１４に通電することによって生ずる磁気誘導力によってＶＲレンズ室の駆動を行う。
【００３３】
位置検出器３２０は、ＶＲレンズ室３０１のＶＲレンズホルダ３０２に対する変位量を検出するものである。位置検出装置３２０は、図３に示すように、ボイスコイルモータ３１０と同様に、ＶＲレンズ群Ｌ２の対ピッチング駆動、対ヨーイング駆動に対応したものがそれぞれ設けられ、これらは図３において符号３２０Ｐ，３２０Ｙをそれぞれ付して図示している。これらの位置検出器３２０Ｐ，３２０Ｙは、それぞれ対応する方向への駆動用のボイスコイルモータ３１０Ｐ，３１０Ｙに対して、光軸Ｉを挟んだ反対側に配置されている。
【００３４】
位置検出器３２０は、図４、図５に示すように、マグネット３２１と、位置検出センサ３２２とを備えている。
マグネット３２１は、ＶＲレンズ室３０１のフランジ部に固定された永久磁石であって、その磁化方向（Ｎ極とＳ極とがなす方向）が検出対象と略平行に配置されている。
位置検出センサ３２２は、例えばホール素子を有する磁気センサを備え、マグネット３２１と対向した状態でＶＲレンズホルダ３０２に固定されている。
【００３５】
ここで、上述したガイドバー２４０，２５０のボイスコイルモータ３１０、位置検出器３２０に対する配置について着目すると、図３に示すように、ガイドバー２４０は、レンズ鏡筒１の周方向において、ボイスコイルモータ３１０Ｐと、位置検出器３２０Ｙとの間の領域に配置されている。ガイドバー２５０は、ボイスコイルモータ３１０Ｙと、位置検出器３２０Ｐとの間の領域に配置されている。
一方、光軸Ｉからの径方向の距離においては、ガイドバー２４０，２５０は、ボイスコイルモータ３１０、位置検出器３２０と重なった位置に配置されている。
また、バネ３０５は、ボイスコイルモータ３１０Ｐ，３１０Ｙの間と、位置検出器３２０Ｐ，３２０Ｙの間にそれぞれ配置されている。
【００３６】
図９は、ＶＲレンズ室３０１の後端部における外周面３０１ａと、これが挿入されるＶＲレンズホルダ３０２の開口３０２ｂの形状を示す図である。
ＶＲレンズ室３０１の後端部における外周面３０１ａは、円筒面状に形成されている。一方ＶＲレンズホルダ３０２の開口３０２ｂは、その光軸Ｉ方向から見た形状が略正八角形状に形成され、その中心は光軸Ｉと略一致するようになっている。
開口３０２ｂは、ＶＲレンズ室３０１がセンタリングされた状態（ＶＲレンズ群Ｌ２の光軸が他のレンズ群と共通の光軸Ｉ上に配置された状態）から、所定の最大ストローク量ａだけ移動することを許容するとともに、過度の移動を制限するように、その対向する面間の間隔がＶＲレンズ室３０１の外周面３０１ａの直径に２ａを加えた寸法よりもわずかに大きく形成されている。
【００３７】
以下、上述した本実施例のレンズ鏡筒１の動作について説明する。
先ず、レンズ鏡筒１が収納状態から使用状態に変化する際の動作について説明する。
回転カム筒１２０は、ギア１２２によって光軸Ｉ回りに回転駆動され、第１群筒１１０、ＶＲユニット３００は、各カム機構によってそれぞれ光軸Ｉ方向における所定の位置に繰り出される。このとき、レンズバリア１１２は、第１群筒１１０の繰り出しと連動して開かれる。
【００３８】
そして、シャッタ絞りユニット２００は、バネ２６０，２７０の加圧力によって、ＶＲレンズホルダ３０２に対して、ガイドバー２４０，２５０に沿って光軸Ｉ方向対物側に繰り出され、ガイドバー２４０，２５０の端部のストッパリングに接触するまで移動する。
このとき、コイル部２８０の絞り駆動コイル２８１及びセクタ駆動コイル２８２は、その位置検出器３２０の位置検出センサ３２２に対する位置が、各コイルの駆動時に発生する磁界の変化が位置検出センサ３２２の検出精度に許容値上限を超える影響を与えない程度の距離まで離間される。
その後、シャッタ絞りユニット２００の絞り羽根２２０は、公知の露光制御に従って開口２１０内に突き出され、通過光量の制御を行ない、また、セクタ２３０は、撮像時における露光時間を調整する。
【００３９】
次に、レンズ鏡筒１が使用状態から収納状態に変化する際の動作について説明する。
シャッタ絞りユニット２００の絞り羽根２２０及びセクタ２３０は、ＶＲレンズ室３０１が開口２１０内に挿入される際に干渉することを防止するため、開口２１０の内周面部よりも外径側に引き込まれる。
回転カム筒１２０は、ギア１２２によって光軸Ｉ回りに逆方向に回転駆動され、第１群筒１１０、ＶＲユニット３００は、各カム機構によってそれぞれ光軸Ｉ方向における所定の位置まで引き込まれる。これと連動して、レンズバリア１１２は閉じられる。
【００４０】
このとき、第１群筒１１０は、シャッタ絞りユニット２００の光軸Ｉ方向対物側の面に当接し、シャッタ絞りユニット２００を光軸Ｉ方向像側に向けて押圧する。
この押圧力によって、バネ２６０，２７０は押し縮められ、シャッタ絞りユニット２００は、ＶＲレンズホルダ３０２に対して接近する方向に移動する。そして、移動終了後においては、シャッタ絞りユニット２００は、その光軸Ｉ方向像側の端面が、ブレ補正ユニット３００の対向する端面と密接した状態とされる。
そして、ＶＲレンズ室３０１の対物側の端部は、シャッタ絞りユニット２００の開口２１０内に収容された状態で収納される。
【００４１】
ここで、ＶＲレンズ室３０１は、シャッタ絞りユニット２００の開口２１０に挿入される時は、ボイスコイルモータ３１０によってセンタリングされた状態となっており、挿入が終了した後、ボイスコイルモータ３１０への通電が停止されると、ＶＲレンズ室３０１の拘束は解除され、ＶＲレンズ室３０１は自重によって移動し、その後端部の外周面３０１ａがＶＲレンズホルダ３０２の開口３０２ｂの内周縁に接した状態で保持される。
【００４２】
本実施例によれば、シャッタ絞りユニット２００の絞り駆動コイル２８１及びセクタ駆動コイル２８２が、撮影時にはブレ補正ユニット３００の位置検出器３２０Ｐ，３２０Ｙに対して光軸Ｉ方向に離間した位置に繰り出されるから、各コイルが発生する磁界の影響が位置検出器３２０Ｐ，３２０Ｙに及ぶことを防止できる。
また、収納時（沈胴時）には、シャッタ絞りユニット２００とブレ補正ユニット３００とが密接した状態まで近接するから、レンズ鏡筒１の光軸Ｉ方向の長さを小さくしてコンパクトに収納することができる。
【００４３】
（変形例）
本発明は、以上説明した実施例に限定されることなく、種々の変形や変更が可能であって、それらも本発明の均等の範囲内である。
（１）実施例は、デジタルスチルカメラの撮影用レンズ鏡筒であったが、本発明はこれに限らずビデオカメラ（ムービーカメラ）やフィルムカメラにも適用することができる。また、例えば携帯電話機や携帯情報端末等に組み込まれるレンズ鏡筒、カメラにも適用することをできる。
（２）実施例の位置検出器は、振動部の固定部に対する変位に応じて発生する磁界強度の変化を、磁気センサであるホール素子を用いて検出するものであったが、本発明は、例えばフォトインタラプタ等の他の方式の位置検出器であっても適用することができ、このような磁界強度の変化による影響を受けにくい位置検出部を用いた場合であっても、電気的なノイズ等の低減効果が得られる。
（３）実施例の絞りは、複数の絞り羽根によって虹彩絞りを構成するものであったが、例えば、ＮＤフィルタを光路上に挿入することによって被写体像光の光量を調整するようにしてもよい。
【図面の簡単な説明】
【００４４】
【図１】本発明を適用したレンズ鏡筒の実施例の使用時の状態を示す断面図である。
【図２】図１のレンズ鏡筒の収納時（沈胴時）の状態を示す断面図である。
【図３】図１のIII−III部矢視断面図である。
【図４】図１のレンズ鏡筒の使用時の状態を示す図３のＢ−Ｂ部断面図である。
【図５】図１のレンズ鏡筒の収納時の状態を示す図３のＢ−Ｂ部断面図である。
【図６】図１のレンズ鏡筒のシャッタ絞りユニットにおけるコイル部の外観斜視図である。
【図７】図１のレンズ鏡筒のシャッタ絞りユニットにおけるコイル部の外観斜視図である。
【図８】図１のレンズ鏡筒のシャッタ絞りユニットにおけるコイル部を光軸方向から見た図である。
【図９】図１のレンズ鏡筒のＶＲレンズ室とＶＲレンズホルダとの間隔を示す図である。
【符号の説明】
【００４５】
１：レンズ鏡筒、Ｌ２：ＶＲレンズ群（第２レンズ群）
２００：シャッタ絞りユニット、２２０：絞り羽根、２３０：セクタ
２８０：コイル部、２８１：絞り駆動コイル、２８２：セクタ駆動コイル
３０１：ＶＲレンズ室、３０２：ＶＲレンズホルダ
３１０：ボイスコイルモータ、３２０：位置検出器
【図１】
2007219375.tif 000003
【図２】
2007219375.tif 000004
【図３】
2007219375.tif 000005
【図４】
2007219375.tif 000006
【図５】
2007219375.tif 000007
【図６】
2007219375.tif 000008
【図７】
2007219375.tif 000009
【図８】
2007219375.tif 000010
【図９】
2007219375.tif 000011